(57)【特許請求の範囲】
【請求項１】
レンズが固定されたレンズ枠はガイドシャフトに沿って移動させられ、前記レンズ枠には、前記レンズ枠を一方向に付勢するための引張りコイルバネのフックが引っ掛けられているレンズ駆動装置において、
前記レンズ枠に設けられたバネ掛け部は、
前記レンズ枠から突出して形成された引っ掛け本体と、
前記引っ掛け本体の表面に形成されると共に、前記引っ掛け本体の突出方向に対して略直交する方向に延在する溝部と、
前記引っ掛け本体において前記溝部から外方に突出して設けられたガイド部と、を有し、
前記溝部の延在方向をＸ方向、前記引っ掛け本体の突出方向をＹ方向、Ｘ方向とＹ方向に直交する方向をＺ方向、前記溝部の一端側を手前側、前記溝部の他端側を奥側とした場合に、
前記ガイド部で前記溝部に隣接して形成されたガイド斜面は、Ｘ方向における手前側でＺ方向において最上に位置する頂部を有すると共に、前記頂部から奥側に向かって低くなることを特徴とするレンズ駆動装置。
【請求項２】
前記ガイド斜面は、Ｚ方向から視て直角三角形状をなしていることを特徴とする請求項１記載のレンズ駆動装置。
【請求項３】
前記ガイド部には、前記頂部から延在する前記ガイド斜面の斜辺から、外方に向かって切除されている切り落とし面が形成されていることを特徴とする請求項２記載のレンズ駆動装置。
【請求項４】
前記ガイド部には、Ｘ方向に突出する拡張部が設けられていることを特徴とする請求項１〜３の何れか一項に記載のレンズ駆動装置。
【発明の詳細な説明】
【技術分野】
【０００１】
本発明は、カメラや携帯情報端末機器などに組み込まれて利用されるレンズ駆動装置に関するものである。
【背景技術】
【０００２】
従来、このような分野の技術として、特開２０１０−７２５４５号公報がある。この公報に記載されたレンズ駆動装置は、ボックス形状のレンズ鏡胴本体内に第１〜第４のレンズ群が配置され、第４のレンズ群は、ガイドバーによって案内されるレンズ移動枠に固定されている。このレンズ移動枠と移動コマは引張りコイルバネによって連結され、引張りコイルバネの一端側のフックは、レンズ移動枠のバネ掛け部に引っ掛けられ、引張りコイルバネの他端側のフックは、リードスクリューによって移動可能な移動コマのバネ掛け部に引っ掛けられている。そして、各バネ掛け部には、フックを引っ掛けるための溝部が形成されると共に、フックの引っ掛け作業を容易にするための斜面が溝部に隣接して形成されている。
【先行技術文献】
【特許文献】
【０００３】
【特許文献１】特開２０１０−７２５４５号公報
【発明の概要】
【発明が解決しようとする課題】
【０００４】
従来のバネ掛け部には、溝部に隣接して立設させられたバネ抜け防止片が形成されている。そして、バネ掛け部にフックを引っ掛ける作業を行うにあたって、フック内にバネ抜け防止片を入れ込む必要があり、これを行うためには、フックを内側に倒すような作業が必要になる。しかしながら、レンズ駆動装置が小型化されて、引張りコイルバネのバネ径が小さくなればなる程、フックも小さくなることが余儀なくされるので、従来のような作業では、フックが変形を起こし易く、しかもフックを溝部に引っ掛け難くなるといった問題点があった。
【０００５】
本発明は、引張りコイルバネのフックをバネ掛け部の溝部に引っ掛ける作業を行うにあたって、作業性を良好にし、しかもフックの変形を起こし難くしたレンズ駆動装置を提供することを目的とする。
【課題を解決するための手段】
【０００６】
本発明は、レンズが固定されたレンズ枠はガイドシャフトに沿って移動させられ、レンズ枠には、レンズ枠を一方向に付勢するための引張りコイルバネのフックが引っ掛けられているレンズ駆動装置において、
レンズ枠に設けられたバネ掛け部は、
レンズ枠から突出して形成された引っ掛け本体と、
引っ掛け本体の表面に形成されると共に、引っ掛け本体の突出方向に対して略直交する方向に延在する溝部と、
引っ掛け本体において溝部から外方に突出して設けられたガイド部と、を有し、
溝部の延在方向をＸ方向、引っ掛け本体の突出方向をＹ方向、Ｘ方向とＹ方向に直交する方向をＺ方向、溝部の一端側を手前側、溝部の他端側を奥側とした場合に、
ガイド部で溝部に隣接して形成されたガイド斜面は、Ｘ方向における手前側でＺ方向において最上に位置する頂部を有すると共に、頂部から奥側に向かって低くなることを特徴とする。
【０００７】
このレンズ駆動装置においては、引張りコイルバネのフックを、ガイド部の手前側からガイド斜面の頂部を超えてガイド部に引っ掛けるような作業を行うだけで、自然にフックは、９０度移動しながらガイド斜面に沿って溝部まで導かれ、溝部に落とし込まれることになる。従って、引張りコイルバネのフックをバネ掛け部の溝部に引っ掛ける作業を行うにあたって、フックをガイド斜面の頂部を超えてガイド部に引っ掛けるだけでよいので、フックの引っ掛け作業が良好になり、しかもフックを必要以上に変形させる必要がないので、フックの変形を防止することができる。
【０００８】
また、ガイド斜面は、Ｚ方向から視て直角三角形状をなしている。
このような構成を採用すると、フックを引っ掛ける作業を行うにあたって、ガイド斜面の斜辺に沿ってフックを移動させることができるので、線接触によってスムーズにフックを移動させることができる。
【０００９】
また、ガイド部には、頂部から延在するガイド斜面の斜辺から、外方に向かって切除されている切り落とし面が形成されている。
このような構成を採用すると、フックが、９０度移動しながらガイド斜面に沿って溝部まで導かれる際に、フックがガイド部に途中で引っ掛かって９０度移動できなくなるような事態を回避させることができる。
【００１０】
また、ガイド部には、Ｘ方向に突出する拡張部が設けられている。
このような構成を採用すると、落下や振動の衝撃の際に、フックが拡張部に当たって外れ難くなる。しかも、拡張部は、Ｘ方向に突出するので、フックをガイド部の手前側からガイド斜面の頂部を超えてガイド部に引っ掛けるような作業を行うときの邪魔になることがない。
【発明の効果】
【００１１】
本発明によれば、引張りコイルバネのフックをバネ掛け部の溝部に引っ掛ける作業を行うにあたって、作業性を良好にし、しかもフックの変形を起こし難くできる。
【図面の簡単な説明】
【００１２】
【図１】本発明に係るレンズ駆動装置の一実施形態を示す斜視図である。
【図２】図１の断面図である。
【図３】第１のレンズ枠と第２のレンズ枠とを引張りコイルバネで連結した状態を示す斜視図である。
【図４】バネ掛け部を様々な角度から見た斜視図である。
【図５】（ａ）はバネ掛け部の平面図、（ｂ）はバネ掛け部の側面図、（ｃ）はバネ掛け部の正面図である。
【図６】バネ掛け部のガイド斜面に沿ってフックが移動している状態を示す斜視図である。
【発明を実施するための形態】
【００１３】
以下、図面を参照しつつ本発明に係るレンズ駆動装置の好適な実施形態について詳細に説明する。
【００１４】
図１〜図３に示されるように、レンズ駆動装置１は、例えば薄型のデジタルカメラや撮像機能付きの携帯情報端末機器に組み込まれ、ズームレンズＭ及びフォーカスレンズＮを駆動させるためのものであり、手振れ補正ユニットＰをも備えている。そしてズームレンズＭ及びフォーカスレンズＮは、レンズ群により構成されている。
【００１５】
レンズ駆動装置１において、ズームレンズＭ及びフォーカスレンズＮは、その光軸Ｌが一致するように配置されている。レンズ駆動装置１は、この光軸Ｌに沿う方向（以下、光軸Ｌ方向と呼ぶ）にズームレンズＭ及びフォーカスレンズＮを駆動させることができる。そして、デジタルカメラなどの機器内には、レンズ駆動装置１の外部にＣＣＤやＣＭＯＳなどの撮像素子が装備されている。
【００１６】
レンズ駆動装置１は、ベース部材２と、光路を曲げるための光屈曲部３と、ズームレンズＭが搭載された第１のレンズ枠４と、フォーカスレンズＮが搭載された第２のレンズ枠５と、第１のレンズ枠４と第２のレンズ枠５との間に配置されてシャッタ６ａを搭載したシャッタ枠６と、光軸Ｌ方向に延在して第１及び第２のレンズ枠４，５とシャッタ枠６とを貫通するガイドシャフト７，８と、第１のレンズ枠４を可動させるために、第１のレンズ枠４にリードスクリュー１０ａを螺着させた第１のステッピングモータ１０と、第２のレンズ枠５を可動させるために、第２のレンズ枠５にリードスクリュー１１ａを螺着させた第２のステッピングモータ１１と、で主として構成されている。
【００１７】
ベース部材２は、ズームレンズＭ及びフォーカスレンズＮを収容し、扁平なボックス状に形成されている。このベース部材２内には、光軸Ｌ方向に延在するガイドシャフト７，８の両端が固定され、このガイドシャフト７，８に沿って各レンズ枠４，５が光軸Ｌ方向にスムーズに移動させられる。
【００１８】
光屈曲部３は、ベース部材２の外側に設けられており、被写体からの被写体光を屈曲させてベース部材２内に取り込むためのものであり、光屈曲部３の内部には略三角柱状のプリズム３ａが固定されている。被写体からの光は、プリズム３ａによって光軸Ｌ方向へと直角に屈曲させられ、ベース部材２内でズームレンズＭとシャッタ６ａとフォーカスレンズＮと手振れ補正ユニットＰに配置されている手振れ補正用レンズを通過してベース部材２の外側に出射され、ＣＣＤやＣＭＯＳなどの撮像素子により撮像される。
【００１９】
第１のレンズ枠４をガイドシャフト７，８に沿って駆動させるにあたって、第１のステッピングモータ１０のリードスクリュー１０ａは、第１のレンズ枠４に当接させられている第１のナット部１０ｂに螺着されている。同様に、第２のレンズ枠５をガイドシャフト７，８に沿って駆動させるにあたって、第２のステッピングモータ１１のリードスクリュー１１ａは、第２のレンズ枠５に当接させられている第２のナット部１１ｂに螺着されている。
【００２０】
図２及び図３に示されるように、第１のレンズ枠４の端部には、第１のナット部１０ｂを装着するための第１のナット装着部４ａが凹状に形成され、第２のレンズ枠５の端部にも、第２のナット部１１ｂを装着するための第２のナット装着部５ａが凹状に形成されている。そして、ガイドシャフト７，８が貫通する第１のレンズ枠４と第２のレンズ枠５は平行に配置され、光軸Ｌ上にはズームレンズＭ及びフォーカスレンズＮが配置されている。そして、第１のナット部１０ｂと第２のナット部１１ｂとは、第１のレンズ枠４と第２のレンズ枠５との間で対面するように配置されている。
【００２１】
図３に示されているように、第１のレンズ枠４の端部には、第１のナット装着部４ａの近傍に位置する第１のバネ掛け部１２が設けられ、第２のレンズ枠５の端部には、第２のナット装着部５ａの近傍に位置する第２のバネ掛け部１３が設けられている。そして、引張りコイルバネ２０の各フック２０ａ，２０ｂが第１及び第２のバネ掛け部１２，１３にそれぞれ引っ掛けられている。引張りコイルバネ２０を利用することで、リードスクリュー１０ａに螺着された第１のナット部１０ｂに第１のナット装着部４ａを確実に圧着させることができ、リードスクリュー１１ａに螺着された第２のナット部１１ｂに第２のナット装着部５ａを確実に圧着させることができる。
【００２２】
第２のバネ掛け部１３は、光軸Ｌに対して第２のレンズ枠５の端部から直交する方向に突出する引っ掛け本体１３ａと、引っ掛け本体１３ａの端部で光軸Ｌ方向に直角に折り曲げられた抜け防止片１３ｂと、抜け防止片１３ｂの近傍で引っ掛け本体１３ａに形成されると共に、引っ掛け本体１３ａの突出方向に対して略直交する方向に延在する溝部１３ｃと、で形成されている。
【００２３】
次に、第１のバネ掛け部１２について詳細に説明する。
【００２４】
図３〜図５に示されるように、第１のバネ掛け部１２は、第１のレンズ枠４から突出して形成された引っ掛け本体２１と、引っ掛け本体２１の表面に形成されると共に、引っ掛け本体２１の突出方向に対して略直交する方向に延在する直線状の溝部２２と、引っ掛け本体２１において溝部２２から外方に突出して設けられたガイド部２３と、を有している。また、溝部２２の底部は、フック２０ａの着座安定性を高めるために断面Ｖ字状に形成されている。
【００２５】
なお、以下の説明で、溝部２２の延在方向をＸ方向、引っ掛け本体２１の突出方向をＹ方向、Ｘ方向とＹ方向に直交する方向をＺ方向、溝部２２の一端側（引張りコイルバネを引っ掛ける側）を手前側、溝部２２の他端側（一端側に対しＸ方向における反対側）を奥側とする。
【００２６】
第１のバネ掛け部１２のガイド部２３には、溝部２２に隣接するガイド斜面２３ａが形成されている。このガイド斜面２３ａは、Ｘ方向における手前側でＺ方向において最上に位置する頂部２３ｂを有すると共に、頂部２３ｂから奥側に向かって低くなっている。そして、このガイド斜面２３ａは、Ｚ方向から視て直角三角形状をなしている（図５（ａ）参照）。
【００２７】
このようなガイド斜面２３ａを採用することで、図６に示されるように、引張りコイルバネ２０のフック２０ａを、ガイド部２３の手前側からガイド斜面２３ａの頂部２３ｂを超えてガイド部２３に引っ掛けるような作業を行うだけで、引張りコイルバネ２０の引張り力により、フック２０ａは、自然に９０度移動しながらガイド斜面２３ａに沿って溝部２２まで導かれ、溝部２２に落とし込まれることになる。従って、引張りコイルバネ２０のフック２０ａをバネ掛け部１２の溝部２２に引っ掛ける作業を行うにあたって、フック２０ａをガイド斜面２３ａの頂部２３ｂを超えてガイド部２３に引っ掛けるだけでよいので、フック２０ａの引っ掛け作業が良好になり、しかもフック２０ａを必要以上に変形させる必要がないので、フック２０ａの変形を防止することができる。なお、この場合、引張りコイルバネ２０のフック２０ａを第１のレンズ枠４の第１のバネ掛け部１２に引っ掛ける前に、引張りコイルバネ２０のフック２０ｂを第２のレンズ枠５の第２のバネ掛け部１３に予め引っ掛けておく必要がある（図３参照）。
【００２８】
しかも、ガイド斜面２３ａを、Ｚ方向から視て直角三角形状にすることで、フック２０ａを引っ掛ける作業を行うにあたって、ガイド斜面２３ａの斜辺Ａに沿ってフック２０ａを移動させることができるので、線接触によってスムーズにフック２０ａを移動させることができる。
【００２９】
図３〜図５に示されるように、ガイド部２３には、頂部２３ｂから延在するガイド斜面２３ａの斜辺Ａから、外方に向かって切除されている切り落とし面２３ｃが形成されている。この切り落とし面２３ｃは、Ｚ方向から視て直角三角形状をなし、Ｚ方向から視て切り落とし面２３ｃとガイド斜面２３ａとで矩形になっている。（図５（ａ）参照）。
【００３０】
このような切り落とし面２３ｃを採用することで、フック２０ａが、９０度移動しながらガイド斜面２３ａに沿って溝部２２まで導かれる際に、フック２０ａがガイド部２３に途中で引っ掛かって９０度移動できなくなるような事態を回避させることができる。すなわち、切り落とし面２３ｃは、フック２０ａをスムーズに溝部２２まで導くために、ガイド部２３を小さくするための対策として採用されている。
【００３１】
さらに、ガイド部２３には、手前側に向かってＸ方向に突出する拡張部２３ｄが設けられている。このような構成を採用すると、落下や振動の衝撃の際に、フック２０ａが拡張部２３ｄに当たって外れ難くなる。しかも、拡張部２３ｄは、Ｘ方向に突出するので、フック２０ａをガイド部２３の手前側からガイド斜面２３ａの頂部２３ｂを超えてガイド部２３に引っ掛けるような作業を行うときの邪魔になることがない。なお、拡張部２３ｄは、ガイド部２３の一部をなし、ガイド斜面２３ａや切り落とし面２３ｃは、ガイド部２３において拡張部２３ｄまで延びている。
【００３２】
本発明は、前述した実施形態に限定されないことは言うまでもない。例えば、ガイド斜面２３ａは、平面であっても曲面であってもよい。同様に、切り落とし面２３ｃは、平面であっても曲面であってもよい。
【符号の説明】
【００３３】
１…レンズ駆動装置、４…レンズ枠、７，８…ガイドシャフト、１２…バネ掛け部、２０…引張りコイルバネ、２０ａ…フック、２１…引っ掛け本体、２２…溝部、２３…ガイド部、２３ａ…ガイド斜面、２３ｂ…頂部、２３ｃ…切り落とし面、２３ｄ…拡張部、Ａ…斜辺、Ｍ…レンズ、Ｌ…光軸。
【図１】
0005323920.tif 000002
【図２】
0005323920.tif 000003
【図３】
0005323920.tif 000004
【図４】
0005323920.tif 000005
【図５】
0005323920.tif 000006
【図６】
0005323920.tif 000007